(57)【要約】【課題】ＳＩＭカードなどのセキュアメモリカードにおける物理的な破壊による保存データの損失を防止する。【解決手段】ホスト部８は、メモリカード９のカード認証を行い、認証ＯＫであると、メモリカード９の更新データをセキュリティ通信にて送信してデータ更新を行う。その後、ホスト部８は、カードデータをミラー更新する要求を基地局サーバ５に出力し、アクセスが許可されると、ホスト部８を経由してカードデータが基地局サーバ５に送信され、カードデータのミラー更新が行われる。基地局サーバ５は、カードデータのミラー更新が終了すると、終了確認をホスト部８に返し、データバックアップの処理が終了となる。このように、メモリカード９のデータを基地局サーバ５によってミラー更新し、保存データの損失を防止する。【選択図】図１
2008301329.tif 000002
【特許請求の範囲】
【請求項１】
無線通信の利用可否を決定するデータを含むデータが格納されたＳＩＭカード、無線通信を行うための高周波信号を出力する高周波電力増幅、および無線通信により受信した信号を信号処理するＲＦ通信部、および前記ＳＩＭカード、前記ＲＦ通信部の制御を司るホスト部を備えた無線通信を行う移動通信端末と、
前記移動端末からの電波を受信し、もしくは前記移動通信端末への電波を送信し、交信中の前記移動通信端末との間に無線通信回線を確保する複数の基地局と、
前記基地局が送受信する電波を集約して統合制御を行う無線ネットワーク制御部と、
前記移動通信端末からの要求に応じて、前記ＳＩＭカードに格納されているデータのミラー更新、およびリストアを実行する基地局サーバとを備え、
前記基地局サーバは、
個々の前記ＳＩＭカードに格納されるデータをミラー更新するデータ格納部を有し、前記ＳＩＭカードのデータが新規格納、または更新された際に、前記ＳＩＭカードのデータを前記データ格納部にミラー更新することを特徴とする無線通信システム。
【請求項２】
請求項１記載の無線通信システムにおいて、
前記ＳＩＭカードに格納されたデータには、移動通信端末ユーザが独自に前記ＳＩＭカードに格納したユーザデータを含むことを特徴とする無線通信システム。
【請求項３】
請求項１または２記載の無線通信システムにおいて、
前記ＳＩＭカードは、
前記ＳＩＭカードに格納されるデータを格納するメモリカードと、
セキュア通信を行うセキュア部が設けられ、前記メモリカードを装着するＳＩＭカードアダプタとよりなることを特徴とする無線通信システム。
【請求項４】
請求項３記載の無線通信システムにおいて、
前記メモリカードは、
データを格納する不揮発性半導体メモリと、
前記不揮発性半導体メモリの動作制御を行うコントローラとを備え、
前記コントローラは、
外部電源電圧が供給される外部電源供給用端子、およびＩＤ番号を外部から読み出す際に用いられる読み出し用インタフェース端子がそれぞれ接続され、前記コントローラが動作不可となった際に、前記外部電源供給用端子を介して電源電圧を供給することにより、前記コントローラとは個別に独立して動作し、読み出し用インタフェース端子を介して前記メモリカードのＩＤ番号を読み出し可能なＩＤ制御格納部を備えたことを特徴とする無線通信システム。
【請求項５】
請求項４記載の無線通信システムにおいて、
前記ＩＤ制御格納部は、
前記コントローラに供給される電源電圧を監視し、前記電源電圧が給電されなくなった際に、前記電源電圧の配線ラインを分離する電源対応回路と、
前記メモリカードのＩＤ番号を格納するＩＤ格納部と、
前記ＩＤ格納部に格納されたＩＤ番号が読み出される際のセキュア通信を行うセキュア部とを備えたことを特徴とする無線通信システム。
【請求項６】
請求項１〜５のいずれか１項に記載の無線通信システムにおいて、
前記ホスト部は、
前記ＳＩＭカードにデータが格納された際に、データのミラー更新を要求する更新要求を前記基地局サーバに要求し、ミラー更新するデータを前記基地局サーバに送信し、
前記基地局サーバは、
前記ホスト部から要求があった際に、前記ホスト部から送信されたデータを前記データ格納部にミラー更新することを特徴とする無線通信システム。
【請求項７】
請求項２〜６のいずれか１項に記載の無線通信システムにおいて、
前記ホスト部は、
新たなメモリカードが装着された際に、前記メモリカードの復元処理が必要と判断し、使用していた前記メモリカードのデータ復元を要求するリストア要求を前記基地局サーバに対して要求し、前記基地局サーバから送信されたミラー更新データを前記新たなメモリカードに格納し、
前記基地局サーバは、
前記ホスト部から要求があった際に、前記データ格納部に格納された該当する前記メモリカードのミラー更新データを前記ホスト部に送信することを特徴とする無線通信システム。
【請求項８】
請求項２〜７のいずれか１項に記載の無線通信システムにおいて、
前記基地局サーバは、
前記メモリカードにおけるファイルデータが書き換えられる毎に、書き換えられた最新のファイルデータを前記データ格納部にミラー更新することを特徴とする無線通信システム。
【請求項９】
請求項２〜６のいずれか１項に記載の無線通信システムにおいて、
前記基地局サーバは、
前記メモリカードのファイルデータが書き換えられる毎に、ファイルデータ更新の来歴を管理する来歴管理ファイルを更新し、最新のファイルから任意のファイル数までのファイルデータを前記データ格納部にミラー更新することを特徴とする無線通信システム。
【請求項１０】
請求項１〜９のいずれか１項に記載の無線通信システムにおいて、
音楽データ、映像データなどの各種データやサービスなどを提供するネットワークプロバイダサーバと、
前記ネットワークプロバイダサーバと接続され、インターネット回線を介してインターネット接続を行うインターネット接続装置とを備え、
前記移動通信端末は、
前記インターネット接続装置との無線通信を行う近距離用ＲＦ通信部と、
前記インターネット接続装置との有線通信を行う外部インタフェースとを備え、
前記ホスト部は、
データのミラー更新、またはデータの復元を行う際に、前記基地局サーバとの通信経路を前記ＲＦ通信部による無線通信、前記近距離用ＲＦ通信部による無線通信、または前記外部インタフェースによる有線通信のいずれかから選択することを特徴とする無線通信システム。
【請求項１１】
請求項１０記載の無線通信システムにおいて、
前記近距離用ＲＦ通信部は、
無線ＬＡＮ、ＮＦＣ、またはワイヤレスＵＳＢなどによって前記インターネット接続装置との無線通信を行い、
前記外部インタフェースは、
イーサネット、またはＵＳＢなどによって前記インターネット接続装置との有線通信を行うことを特徴とする無線通信システム。
【請求項１２】
請求項９または１０記載の無線通信システムにおいて、
前記ホスト部は、
前記ＲＦ通信部、前記近距離用ＲＦ通信部、または前記外部インタフェースによる通信回線経路から利用可能な通信回路経路を検索し、検索した利用可能な通信回路経路のうち、予め設定された条件の通信回線経路を優先して利用することを特徴とする無線通信システム。
【請求項１３】
請求項１０〜１２のいずれか１項に記載の無線通信システムにおいて、
前記基地局サーバは、
前記ＳＩＭカードのミラー更新データのうち、重要なデータのみを前記データ格納部に格納し、その他のデータを前記ネットワークプロバイダサーバに格納することを特徴とする無線通信システム。
【請求項１４】
請求項１〜１３のいずれか１項に記載の無線通信システムにおいて、
前記ホスト部は、
前記無線通信回線を介して前記ＳＩＭカードのアクセス制限要求があった際に、前記データ格納部に格納されているアクセス制限が設定された設定データを取り込み、その設定データに基づいて前記ＳＩＭカードのアクセス制限を実施することを特徴とする無線通信システム。
【請求項１５】
データを格納する不揮発性半導体メモリと、前記不揮発性半導体メモリの動作制御を行うコントローラとを備えたメモリカードと、
セキュア通信を行うセキュア部が設けられ、前記メモリカードを装着するＳＩＭカードアダプタとを備え、
前記コントローラは、
外部電源電圧が供給される外部電源供給用端子、およびＩＤ番号を外部から読み出す際に用いられる読み出し用インタフェース端子がそれぞれ接続され、前記コントローラが動作不可となった際に、前記外部電源供給用端子を介して電源電圧を供給することにより、前記コントローラとは個別に独立して動作し、読み出し用インタフェース端子を介して前記メモリカードのＩＤ番号を読み出し可能なＩＤ制御格納部を備えたことを特徴とするＳＩＭカード。
【請求項１６】
請求項１５記載のＳＩＭカードにおいて、
前記ＩＤ制御格納部は、
前記コントローラに供給される電源電圧を監視し、前記電源電圧が給電されなくなった際に、前記電源電圧の配線ラインを分離する電源対応回路と、
前記メモリカードのＩＤ番号を格納するＩＤ格納部と、
前記ＩＤ格納部に格納されたＩＤ番号が読み出される際のセキュア通信を行う前記セキュア部とを備えたことを特徴とするＳＩＭカード。
【請求項１７】
無線通信の利用可否を決定するデータ含むデータが格納されたＳＩＭカードと、無線通信を行うための高周波信号を出力する高周波電力増幅および無線通信により受信した信号を信号処理するＲＦ通信部と、前記ＳＩＭカード、前記ＲＦ通信部の制御をするホスト部とを備え
前記ホスト部は、
前記ＳＩＭカードにデータが格納された際に、データのミラー更新を要求する更新要求を無線通信を介して接続された基地局サーバに要求し、ミラー更新するデータを前記基地局サーバに送信することにより、前記基地局サーバに前記ＳＩＭカードのデータをミラー更新可能とすることを特徴とする移動通信端末。
【請求項１８】
請求項１７記載の移動通信端末において、
前記ホスト部は、
新たなメモリカードが装着された際に、前記メモリカードの復元処理が必要と判断し、使用していた前記メモリカードのデータ復元を要求するリストア要求を前記基地局サーバに対して要求し、前記基地局サーバから送信されたミラー更新データを前記新たなメモリカードに格納することを特徴とする移動通信端末。
【請求項１９】
請求項１７または１８に記載の移動通信端末において、
前記ＳＩＭカードに格納されたデータには、移動通信端末ユーザが独自に前記ＳＩＭカードに格納したユーザデータを含むことを特徴とする移動通信端末。
【請求項２０】
請求項１７〜１９のいずれか１項に記載の移動通信端末において、
前記移動通信端末は、
前記ネットワークプロバイダサーバと接続され、インターネット回線を介してインターネット接続を行うインターネット接続装置との無線通信を行う近距離用ＲＦ通信部と、
前記インターネット接続装置との有線通信を行う外部インタフェースとを備え、
前記ホスト部は、
データのミラー更新、またはデータの復元を行う際に、前記基地局サーバとの通信経路を前記ＲＦ通信部による無線通信、前記近距離用ＲＦ通信部による無線通信、または前記外部インタフェースによる有線通信のいずれかから選択することを特徴とする移動通信端末。
【請求項２１】
請求項２０記載の移動通信端末において、
前記近距離用ＲＦ通信部は、
無線ＬＡＮ、ＮＦＣ、またはワイヤレスＵＳＢなどによってインターネット接続を行い、
前記外部インタフェースは、
イーサネット、またはＵＳＢなどによってインターネット接続を行うことを特徴とする移動通信端末。
【請求項２２】
請求項２０または２１記載の移動通信端末において、
前記ホスト部は、
前記ＲＦ通信部、前記近距離用ＲＦ通信部、または前記外部インタフェースによる通信回線経路から利用可能な通信回路経路を検索し、検索した利用可能な通信回路経路のうち、予め設定された最も通信コストが安い通信回線経路を優先して利用することを特徴とする移動通信端末。
【請求項２３】
請求項２０または２１記載の移動通信端末において、
前記ホスト部は、
前記ＲＦ通信部、前記近距離用ＲＦ通信部、または前記外部インタフェースによる通信回線経路から利用可能な通信回路経路を検索し、検索した利用可能な通信回路経路のうち、予め設定された最も通信速度の速い通信回線経路を優先して利用することを特徴とする移動通信端末。
【請求項２４】
請求項１７〜２３のいずれか１項に記載の移動通信端末において、
前記ホスト部は、
前記ＳＩＭカードのアクセス制限要求があった際に、前記データ格納部に格納されているアクセス制限が設定された設定データを取り込み、その設定データに基づいて前記ＳＩＭカードのアクセス制限を実施することを特徴とする移動通信端末。
【請求項２５】
無線通信を利用可否を決定するデータを含むデータが格納されたＳＩＭカード、無線通信を行うための高周波信号を出力する高周波電力増幅、および無線通信により受信した信号を信号処理するＲＦ通信部、および前記ＳＩＭカード、前記ＲＦ通信部の制御をするホスト部とを備えた無線通信を行う移動通信端末と、前記移動通信端末からの電波を発信し、または前記移動通信端末への電波を送信し、交信中の前記移動通信端末との間に無線通信回線を確保する複数の基地局と、前記基地局が送受信する電波を集約して統合制御を行う無線ネットワーク制御部と、前記移動通信端末からの要求に応じて、前記ＳＩＭカードに格納されているデータのミラー更新、およびリストアを実行する基地局サーバとを備えた無線通信システムによるデータの保証方法であって、
前記ＳＩＭカードのデータ更新が完了した際に、前記基地局サーバと無線交信し、前記ホスト部が前記ＳＩＭカードに格納された更新データのミラー更新を要求するステップと、
前記基地局サーバが、前記ホスト部の要求に応じて前記ホスト部から送信された前記ＳＩＭカードに格納されたデータをデータ格納部にミラー更新し、前記ＳＩＭカードに格納されたデータをバックアップするステップとを有したことを特徴とするデータの保証方法。
【請求項２６】
請求項２５記載のデータの保証方法において、
前記ホスト部が、前記ＳＩＭカードに装着されるメモリカードが装着された際にカード認証を行い、前記メモリカードのカード認証が不一致となった際に、前記メモリカードの復元処理が必要と判断し、前記基地局サーバに、バックアップされたデータの送信を要求するステップと、
要求に応じて前記基地局サーバが前記データ格納部にバックアップされたリストアするデータを送信するステップと、
前記ホスト部が、前記基地局サーバから送信されたリストアデータを前記メモリカードに書き込むステップとを有することを特徴とするデータの保証方法。
【発明の詳細な説明】
【技術分野】
【０００１】
本発明は、メモリカードにおけるデータのバックアップ技術に関し、特に、ＳＩＭ（Ｓｕｂｓｃｒｉｂｅｒ  Ｉｄｅｎｔｉｔｙ  Ｍｏｄｕｌｅ）カードなどのデータ保証に有効な技術に関する。
【背景技術】
【０００２】
近年、携帯電話、モバイル機器の小型化、高密度化に対し、それに搭載されるリムーバブルメモリカードも小型化、薄型化、ならびに高密度化が進んでいる。
【０００３】
この種のメモリカードの１つとして、携帯電話には、たとえば、ＳＩＭカードが広く用いられている。ＳＩＭカードには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる固有の番号や携帯電話番号などの様々なデータが登録されている。
【０００４】
携帯電話は、ＳＩＭカードを該携帯電話機のスロットに差し込むことによって利用可能となる。また、このＳＩＭカードを他の携帯電話に差し込むことにより、他の機種の携帯電話でも利用可能となるばかりでなく、ひとつの携帯電話機で複数の電話番号を切り替えて使用したりすることができる。
【発明の開示】
【発明が解決しようとする課題】
【０００５】
ところが、上記のようなＳＩＭカードを用いたデータの保存技術では、次のような問題点があることが本発明者により見い出された。
【０００６】
重要な情報が登録されているＳＩＭカードであるが、物理的強度を強くするなどの対策は取られておらず、大きな外力による曲げやねじれなどが加わると、該ＳＩＭカードが破壊されてしまう恐れがある。
【０００７】
ＳＩＭカードが破壊された場合、該ＳＩＭカードは交換などによって対処することはできるが、ＳＩＭカードに保存されているデータはすべて損失してしまうことになり、ユーザの利便性を損ねてしまうという問題がある。
【０００８】
本発明の目的は、ＳＩＭカードなどのセキュアメモリカードにおける物理的な破壊による保存データの損失を防止することのできる技術を提供することにある。
【０００９】
本発明の前記ならびにそのほかの目的と新規な特徴については、本明細書の記述および添付図面から明らかになるであろう。
【課題を解決するための手段】
【００１０】
本願において開示される発明のうち、代表的なものの概要を簡単に説明すれば、次のとおりである。
【００１１】
本発明は、無線通信の利用可否を決定するデータを含むデータが格納されたＳＩＭカード、無線通信を行うための高周波信号を出力する高周波電力増幅、および無線通信により受信した信号を信号処理するＲＦ通信部、およびＳＩＭカード、ＲＦ通信部の制御を司るホスト部を備えた無線通信を行う移動通信端末と、該移動端末からの電波を受信し、もしくは移動通信端末への電波を送信し、交信中の移動通信端末との間に無線通信回線を確保する複数の基地局と、該基地局が送受信する電波を集約して統合制御を行う無線ネットワーク制御部と、移動通信端末からの要求に応じて、ＳＩＭカードに格納されているデータのミラー更新、およびリストアを実行する基地局サーバとを備え、該基地局サーバは、個々のＳＩＭカードに格納されるデータをミラー更新するデータ格納部を有し、ＳＩＭカードのデータが新規格納、または更新された際に、ＳＩＭカードのデータをデータ格納部にミラー更新するものである。
【００１２】
また、本発明は、前記ホスト部が、ＳＩＭカードにデータが格納された際に、データのミラー更新を要求する更新要求を基地局サーバに要求し、ミラー更新するデータを基地局サーバに送信し、前記基地局サーバは、ホスト部から要求があった際に、ホスト部から送信されたデータをデータ格納部にミラー更新するものである。
【００１３】
さらに、本発明は、前記ホスト部が、新たなメモリカードが装着された際に、メモリカードの復元処理が必要と判断し、使用していたメモリカードのデータ復元を要求するリストア要求を基地局サーバに対して要求し、基地局サーバから送信されたミラー更新データを新たなメモリカードに格納し、基地局サーバは、ホスト部から要求があった際に、データ格納部に格納された該当するメモリカードのミラー更新データをホスト部に送信するものである。
【００１４】
さらに、本発明は、データを格納する不揮発性半導体メモリと、該不揮発性半導体メモリの動作制御を行うコントローラとを備えたメモリカードと、セキュア通信を行うセキュア部が設けられ、メモリカードを装着するＳＩＭカードアダプタとを備えたＳＩＭカードであって、該コントローラが、外部電源電圧が供給される外部電源供給用端子、およびＩＤ番号を外部から読み出す際に用いられる読み出し用インタフェース端子がそれぞれ接続され、コントローラが動作不可となった際に、外部電源供給用端子を介して電源電圧を供給することにより、コントローラとは個別に独立して動作し、読み出し用インタフェース端子を介してメモリカードのＩＤ番号を読み出し可能なＩＤ制御格納部を備えたものである。
【００１５】
また、本願のその他の発明の概要を簡単に示す。
【００１６】
本発明は、無線通信を利用可否を決定するデータを含むデータが格納されたＳＩＭカード、無線通信を行うための高周波信号を出力する高周波電力増幅、および無線通信により受信した信号を信号処理するＲＦ通信部、およびＳＩＭカード、該ＲＦ通信部の制御をするホスト部とを備えた無線通信を行う移動通信端末と、該移動通信端末からの電波を発信し、または移動通信端末への電波を送信し、交信中の移動通信端末との間に無線通信回線を確保する複数の基地局と、該基地局が送受信する電波を集約して統合制御を行う無線ネットワーク制御部と、移動通信端末からの要求に応じて、ＳＩＭカードに格納されているデータのミラー更新、およびリストアを実行する基地局サーバとを備えた無線通信システムによるデータの保証方法であって、ＳＩＭカードのデータ更新が完了した際に、基地局サーバと無線交信し、ホスト部がＳＩＭカードに格納された更新データのミラー更新を要求するステップと、基地局サーバが、ホスト部の要求に応じてホスト部から送信されたＳＩＭカードに格納されたデータをデータ格納部にミラー更新し、ＳＩＭカードに格納されたデータをバックアップするステップとを有したものである。
【００１７】
また、本発明は、前記ホスト部が、ＳＩＭカードに装着されるメモリカードが装着された際にカード認証を行い、メモリカードのカード認証が不一致となった際に、メモリカードの復元処理が必要と判断し、基地局サーバに、バックアップされたデータの送信を要求するステップと、要求に応じて基地局サーバがデータ格納部にバックアップされたリストアするデータを送信するステップと、ホスト部が、基地局サーバから送信されたリストアデータをメモリカードに書き込むステップとを有するものである。
【発明の効果】
【００１８】
本願において開示される発明のうち、代表的なものによって得られる効果を簡単に説明すれば以下のとおりである。
【００１９】
（１）ＳＩＭカードが物理的破壊などによって壊れてしまっても、該ＳＩＭカードに記憶されているデータの損失を防止することができる。
【００２０】
（２）バックアップ、または復元する際の通信回線経路を任意に選択することが可能となるので、データ通信速度、通信品質の向上、および能力を強化することができる。
【００２１】
（３）ＳＩＭカードのアクセス制限を他の通信端末によって即座に行うことが可能となり、該ＳＩＭカードのデータ保護をより確実に行うことができる。
【００２２】
（４）上記（１）〜（３）により、ＳＩＭカードを用いて構成される無線通信システムの信頼性を大幅に向上させることができる。
【発明を実施するための最良の形態】
【００２３】
以下、本発明の実施の形態を図面に基づいて詳細に説明する。なお、実施の形態を説明するための全図において、同一の部材には原則として同一の符号を付し、その繰り返しの説明は省略する。
【００２４】
（実施の形態１）
図１は、本発明の実施の形態１による無線通信システムの構成例を示す説明図、図２は、図１の無線通信システムにおけるＳＩＭカードに設けられたメモリカード、およびＳＩＭカードアダプタの構成例を示すブロック図、図３は、図１の無線通信システムにおけるデータバックアップ処理の一例を示すフローチャート、図４は、図３のデータバックアップ処理における無線通信システムのデータの通信経路を示した説明図、図５は、図１の無線通信システムにおけるデータのリストア処理を示すフローチャート、図６は、図５のリストア処理における無線通信システムのデータの通信経路を示した説明図、図７は、図１の無線通信システムにおけるメモリカードに書き換えられた新しいデータを基地局サーバに保存する際の一例を示す説明図、図８は、図１の無線通信システムにおける基地局サーバのファイル来歴管理例を示す説明図である。
【００２５】
本実施の形態１において、無線通信システム１は、図１に示すように、携帯電話２、基地局３、無線ネットワーク制御装置４、および基地局サーバ５から構成されている。
【００２６】
携帯電話２は、移動通信端末であり、ＳＩＭカード６、ＲＦ通信部７、ならびにホスト部８から構成されている。ＳＩＭカード６は、携帯電話を使用する際に用いられ、個別の携帯電話番号を認識する情報などが登録されている。
【００２７】
ＳＩＭカード６は、リムーバブルタイプのメモリカード９とＳＩＭカードアダプタ１０とから構成されている。メモリカード９は、ＩＭＳＩの番号や前述した携帯電話番号などの登録情報、電話帳データ、および音楽データなどのマルチメディアコンテンツなどの様々なデータが格納されている。
【００２８】
ＳＩＭカードアダプタ１０には、セキュア通信を行うセキュアＩＣ（Ｉｎｔｅｇｒａｌ  Ｃｉｒｃｕｉｔ）からなるセキュア部１１が設けられており、該ＳＩＭカードアダプタ１０に設けられたメモリカード用コネクタを介してメモリカード９が装着される。
【００２９】
なお、ＳＩＭカード６は、リムーバブルタイプのメモリカード９とＳＩＭカードアダプタ１０とから構成されている例を示したが、メモリカードとセキュアＩＣとが一体になったものでもよい。
【００３０】
ＲＦ通信部７は、アンテナを介した無線通信を行うための高周波信号を出力する高周波電力増幅や無線通信によりアンテナから受けた信号をホスト部へ送るための信号処理などを行う。ホスト部８は、携帯電話２におけるすべての制御を司る。ホスト部８は、プロセッサ部８ａ、メモリ８ｂ、入力部８ｃ、出力部８ｄ、ディスプレイ部８ｅ、電源回路部８ｆ、およびメモリカードインタフェース（Ｉ／Ｆ）８ｇから構成されている。
【００３１】
プロセッサ部８ａは、たとえば、ベースバンドプロセッサとアプリケーションプロセッサとからなる。ベースバンドプロセッサは、リアルタイムＯＳを実行しベースバンドプロトコルスタックを実行する。アプリケーションプロセッサは、アプリケーションの制御を司る。
【００３２】
メモリ８ｂは、プロセッサ部８ａに用いられるデータなどが格納される。入力部８ｃは、たとえば、テンキー入力部などからなり、電話番号などの各種情報が入力される。出力部８ｄは、スピーカやイヤフォンジャックなどからなる。ディスプレイ部８ｅは、たとえば、液晶ディスプレイからなり、各種情報や画像などが表示される。
【００３３】
電源回路部８ｆは、プロセッサ部８ａなどの供給する内部電源電圧を生成する。カードインタフェース８ｇは、ＳＩＭカード６と通信する際のインタフェースである。このカードインタフェース８ｇは、セキュア部１１との通信を行う際、たとえば、ＩＳＯ７８１６インタフェースなどの通信プロトコルを用い、セキュア部１１を介さずにメモリカード９と直接通信する際には、たとえば、ＵＳＢインタフェースやメモリカードインタフェースなどの通信プロトコルを用いる。
【００３４】
基地局３は、任意のエリア毎に１つずつ設けられており、携帯電話２から発信される電波を発信または受信して、交信中の携帯電話２との間に通信回線を確保する。無線ネットワーク制御装置４は、基地局３が送受信する電波を集約し、基地局サーバ５との統合を行う。
【００３５】
基地局サーバ５は、サーバ制御装置５ａとハードディスク装置５ｂとからなり、サーバ制御装置５ａは、ハードディスク装置５ｂの制御を行う。データ格納部となるハードディスク装置５ｂは、サーバ制御装置５ａの制御に基づいて各種情報の読み出し、書き込みを行う記憶装置である。
【００３６】
基地局サーバ５は、携帯電話２からの要求に応じて応答し、メモリカード９に格納されているデータのミラー更新やデータのリストアなどを実行する。
【００３７】
メモリカード９のデータが更新された場合（たとえば、アドレス帳の追加、変更、削除など）、セキュア部１１を介して更新されたデータがＲＦ通信部７を通じて無線通信により基地局３に送られ、該基地局３から、無線ネットワーク制御装置４を介して基地局サーバ５にカードデータと同様の内容のデータがミラー更新される。
【００３８】
メモリカード９には、個別の識別を可能にするためのトラステットデバイス（機器認証により保証された装置）としての認証方式、またはセキュアカードのＩＤ（認識番号）を設け、基地局サーバ５側には、メモリカード９の機器認証に対応したカードデータ領域を割り当てる。
【００３９】
このように、メモリカード９のデータを基地局サーバ５と完全連携することにより、完全バックアップやリストアを行うことが可能となり、メモリカード９に対して著しく高い信頼性を保証することが可能となる。
【００４０】
ＩＭＳＩの番号や携帯電話番号などの登録情報に比べ、携帯電話ユーザ毎に格納する電話帳データ、および音楽データなどのマルチメディアコンテンツなどのユーザ独自に格納したユーザデータはデータ量が多くなる場合がある。
【００４１】
これらのデータがバックアップやリストアされることは、携帯電話ユーズにとって、データの安全な保持性を高め、大変有益である。
【００４２】
図２は、ＳＩＭカード６に設けられたメモリカード９、およびＳＩＭカードアダプタ１０の構成例を示すブロック図である。
【００４３】
メモリカード９は、図示するように、フラッシュメモリに例示される不揮発性半導体メモリからなるメモリ９ａ、および該メモリ９ａの動作制御を行うコントローラ９ｂから構成されている。
【００４４】
ＳＩＭカードアダプタ１０は、メモリカード９を装着するメモリカード用コネクタ、セキュア部１１、およびＳＩＭカード用外部端子Ｃ１〜Ｃ８から構成されている。これらＳＩＭカード用外部端子Ｃ１〜Ｃ８は、ＩＳＯ７８１６によって標準化された外部端子であり、ＩＳＯ７８１６では、標準のＩＣカード用端子（Ｃ１〜Ｃ５，Ｃ７）の他に、ＵＳＢ用端子（Ｃ４，Ｃ８）が割り当てられている。
【００４５】
ＳＩＭカードアダプタ１０がホスト部８と通信する際には、これらＳＩＭカード用外部端子Ｃ１〜Ｃ８を介して通信が行われる。また、セキュア部１１は、メモリカード用コネクタを介してメモリカード９との通信を行う。
【００４６】
この場合、セキュア部１１とメモリカード９との通信は、たとえば、メモリスティック（登録商標）、ＳＤ（Ｓｅｃｕｒｅ  Ｄｉｇｉｔａｌ）カード（登録商標）、マルチメディアカード（ＭＭＣ：ＭｕｌｔｉＭｅｄｉａ  Ｃａｒｄ）（登録商標）などのインタフェースが用いられる。
【００４７】
次に、本実施の形態における無線通信システム１のデータバックアップ処理について、図３のフローチャートを用いて説明する。
【００４８】
図３では、メモリカード９のデータ更新に基地局サーバ５内のミラーデータを同期更新するときの処理を示している。
【００４９】
まず、ホスト部８は、メモリカード９のカード認証を行う（ステップＳ１０１）。カード認証がＯＫであると、以降の通信を暗号通信状態とする（ステップＳ１０２）。また、ステップＳ１０１の処理で、カード認証ができない場合には、処理を中断する。
【００５０】
続いて、ホスト部８は、メモリカード９の更新データ（追加、変更、削除など）をセキュリティ通信にて送信し（ステップＳ１０３）、該メモリカード９のデータ更新を行う。
【００５１】
データの更新が終了すると（ステップＳ１０４）、ホスト部８は、メモリカード９データをミラー更新する要求を基地局サーバ５に出力する。ホスト部８は、サーバ認証を行い（ステップＳ１０５）、認証されると（ステップＳ１０６）、ＳＩＭカード６に搭載されているメモリカード９に割り当てられている基地局サーバ５内のカードデータ領域のアクセス許可を要求する。また、ステップＳ１０５の処理において、サーバ認証がされない場合には、処理を中断する。
【００５２】
そして、アクセスが許可されると、ホスト部８を経由してカードデータが基地局サーバ５に送信され、カードデータのミラー更新が行われる（ステップＳ１０７）。その後、基地局サーバ５は、カードデータのミラー更新が終了すると、終了確認をホスト部８に返し（ステップＳ１０８）、データバックアップの処理が終了となる。
【００５３】
ホスト部８と基地局サーバ５との間の通信には、たとえば、ＳＳＬ（Ｓｅｃｕｒｅ  Ｓｏｃｋｅｔ  Ｌａｙｅｒ）などのセキュア通信による通信手順が用いられ、通信の傍受を防止することができる。また、ホスト部８と基地局サーバ５との通信では、パケット単位にデータを分割する。
【００５４】
ホスト部８と基地局サーバ５間で通信エラーが発生したときは、基地局サーバ５へのカードデータ更新処理を通信可能となるまで引き伸ばすようにしてもよい。また、このときに更新データの一時保存データをホスト部８内に設けられたメモリ領域に保存し、通信が回復するまでの間のカードの物理的破損に対する保障を行うようにしてもよい。
【００５５】
図４は、図３のデータバックアップ処理における無線通信システム１のデータの通信経路を示した説明図である。
【００５６】
初めに、セキュア部１１を経由したＳＩＭカード６内のデータ経路について説明する。このデータ経路を図４において経路１で示す。
【００５７】
まず、メモリカード９の認証時（図３、ステップＳ１０１の処理）では、ホスト部８は、ＳＩＭカードアダプタ１０のセキュア部１１を介してメモリカード９と通信し、カード認証を行う。この場合、セキュア通信のため、コントローラ９ｂのセキュリティ用レジスタＳＲを使用する。
【００５８】
続いて、メモリカード９のデータ更新（図３、ステップＳ１０３の処理）では、ホスト部８は、更新データをセキュア部１１を経由してメモリカード９の任意の領域に書き込む。
【００５９】
また、ＳＩＭカード６とホスト部８とがセキュア部１１を介さずに通信する際のデータ経路を図４において経路２で示す。
【００６０】
この場合、メモリカード９の認証（図３、ステップＳ１０１の処理）では、ホスト部８は、カードインタフェース８ｇを介して直接メモリカード９内のコントローラ９ｂとカード認証を行う。
【００６１】
そして、メモリカード９のデータ更新（図３、ステップＳ１０３の処理）では、ホスト部８は、更新データをカードインタフェース８ｇを介して直接メモリカード９に書き込む。
【００６２】
次に、ホスト部８と基地局サーバ５とのデータ経路について説明する。この経路は、図４において経路３で示す。
【００６３】
この場合、サーバ認証（図３、ステップＳ１０５の処理）において、ホスト部８は、サーバ認証の要求をＲＦ処理部７から携帯電話２に設けられたアンテナを経由して送信し、この要求が受信された複数の基地局３によって復調され、無線ネットワーク制御装置４において集約された後、基地局サーバ５へ送られる。
【００６４】
基地局サーバ５において、サーバ制御装置５ａは、ハードディスク装置５ｂに保存されている機器認証メモリカードに対応したカードデータとの照合を行い、カード認証が行われる。
【００６５】
カードデータのミラー更新（図３、ステップＳ１０７の処理）では、ホスト部８は、カードデータをパケットに分割し、ＲＦ通信部７、基地局３、ならびに無線ネットワーク制御装置４をそれぞれ通じて基地局サーバ５へ送り、機器認証メモリカードに対応したカードデータの更新を行う。
【００６６】
次に、使用中のメモリカード９が故障などにより使用できなくなった場合に、別のメモリカード９において復元する処理について、図５のフローチャートを用いて説明する。
【００６７】
この場合、新しいメモリカード９は、ブランクカードでもよいし、ＩＤの異なる既存のメモリカードであってもよい。
【００６８】
まず、ホスト部８は、メモリカード９のカード認証を行う（ステップＳ２０１）。この際、ＳＩＭカード６には、現在まで使用していたメモリカードのカードＩＤが保管されているので、新たなメモリカード９のカードＩＤと不一致となる。
【００６９】
これにより、ホスト部８は、新しいメモリカード９がＳＩＭカードアダプタ１０に挿入されたことを認識し（ステップＳ２０２）、新しいメモリカード９のカード認証を行う（ステップＳ２０３，Ｓ２０４）。これにより、ホスト部８は、新規のメモリカード９の復元処理（リストア）が必要と判断する。
【００７０】
続いて、ホスト部８は、サーバ認証を行い（ステップＳ２０５）、認証されると、ホスト部８と基地局サーバ５との間でセキュア通信を確立する（ステップＳ２０６）。その後、ホスト部８は、バックアップしていたカードＩＤに対応するリストアデータをリストアする要求を基地局サーバ５に対して出力し、基地局サーバ５からは、セキュア通信を経由してリストアデータが送信される（ステップＳ２０７）。
【００７１】
ホスト部８は、送信されたリストアデータを新しいメモリカード９への書き込み処理を並行して実行し（ステップＳ２０８）、リストア処理を行う。
【００７２】
リストアデータの送信が終了すると、基地局サーバ５との正常終了を確認する（ステップＳ２０９）。続いて、リストアデータの書き込み処理が終了すると、メモリカード９との正常終了を確認する（ステップＳ２１０）。
【００７３】
これらステップＳ２０９，Ｓ２１０の処理において、正常終了しない場合はリトライ、あるいは異常終了処理とする。また、ネットワークエラー時には、本処理は通信再開まで延期するようにしてもよい。
【００７４】
図６は、図５のリストア処理における無線通信システム１のデータの通信経路を示した説明図である。
【００７５】
初めに、リストア処理におけるセキュア部１１を経由したＳＩＭカード６内のデータ経路について説明する。このデータ経路を図６において経路４で示す。
【００７６】
まず、メモリカード９の認証（図５、ステップＳ２０１の処理）では、ホスト部８は、カードインタフェース８ｇより、セキュア部１１を介してメモリカード９と通信し、カード認証を行う。ここでは、セキュア通信のため、コントローラ９ｂのセキュリティ用レジスタＳＲを使用する。
【００７７】
そして、メモリカード９のリストアデータ更新処理（図５、ステップＳ２０８の処理）では、ホスト部８は、更新データをカードインタフェース８ｇよりセキュア部１１を経由してメモリ９ａへ書き込む。
【００７８】
また、ＳＩＭカード６とホスト部８とがセキュア部１１を介さずに通信する際のデータ経路を図６において経路５で示す。
【００７９】
この場合、メモリカード９の認証（図５、ステップＳ２０１の処理）では、ホスト部８は、カードインタフェース８ｇ（ＵＳＢインタフェース、あるいはメモリカードインタフェース）を通じてメモリカード９のコントローラ９ｂとカード認証を行う。
【００８０】
メモリカード９のリストアデータ更新処理（図５、ステップＳ２０８の処理）では、ホスト部８は、更新データをカードインタフェース８ｇを通じてメモリカード９に書き込む。
【００８１】
次に、ホスト部８と基地局サーバ５とのデータ経路について説明する。この経路は、図６において経路６で示す。
【００８２】
この場合、サーバ認証（図５、ステップＳ２０５の処理）において、ホスト部８は、サーバ認証の要求をＲＦ処理部７から携帯電話２に設けられたアンテナを経由して送信され、この要求が受信した複数の基地局３によって復調されて無線ネットワーク制御装置４で集約された後基地局サーバ５へ送られる。
【００８３】
サーバ制御装置５ａはハードディスク装置に保存されている機器認証メモリカードに対応したカードデータと照合し、カード認証を行う。
【００８４】
そして、暗号化したリストアデータを送信する際（図５ステップＳ２０７の処理）には、基地局サーバ５は、リストアデータをパケットに分割して無線ネットワーク制御装置４、基地局３を介してＲＦ通信部７へ送り、メモリカード９に対応したデータのリストアを行う。
【００８５】
図７は、メモリカード９に書き換えられた新しいデータを基地局サーバ５のハードディスク装置５ｂに保存する際の一例を示す説明図である。
【００８６】
図７において、右側は、メモリカード９の記憶領域を示しており、左側はハードディスク装置５ｂの記憶領域を示している。
【００８７】
ハードディスク装置５ｂは、メモリカード９毎に個々に対応する記憶領域が割り当てられており、たとえば、メモリカード９の記憶領域において、ファイルＡの書き換えが行われると、その最新のファイルＡと同じ内容のデータを最新ファイルＡ０としてハードディスク装置５ｂの割り当てられた記憶領域に書き込む。
【００８８】
これによって、メモリカード９の完全なデータバックアップが可能となる。また、図７では、１つのファイルの場合について説明したが、メモリカード９に格納されるファイルが複数個あっても同様の処理を行う。
【００８９】
さらに、基地局サーバ５では、メモリカード９に格納されるファイルの来歴管理を行うことも可能である。図８は、基地局サーバ５においてｎ個（任意）までのファイルの来歴管理例を示す説明図である。
【００９０】
ｎ個までのファイル来歴を管理する場合、図示するように、たとえば、メモリカード９内のファイルＡの書き換えが行われると、最新ファイルＡを基地局サーバ５のハードディスク装置５ｂに最新ファイルＡ０として書き込む。
【００９１】
来歴管理ファイル上の、書き込まれる前の最新であったファイルＡ０はファイルＡ１とし、順次ファイルＡ１をファイルＡ２、ファイルＡ２をファイルＡ３、ファイルＡｎ−１をファイルＡｎのように変更する。最新ファイルＡ１が書き込まれる前にあった最も古いファイルＡｎは破棄される。
【００９２】
これにより、メモリカード９のファイルＡの完全なバックアップが可能となるとともに、基地局サーバ５において、ｎ回分の来歴管理が可能となる。よって、来歴管理ファイルを参照することにより、来歴ｎ以下の任意の来歴ｋに対応した旧ファイルＡｋに自在に戻すことができる。ここでも、１つのファイルの来歴管理について説明したが、メモリカード９に格納される複数のファイルに対しても同様のファイル管理を行うものとする。
【００９３】
それにより、本実施の形態１によれば、メモリカード９が物理的破壊などによって壊れてしまっても、メモリカード９に記憶されているデータの損失を防止することができ、ＳＩＭカード６の信頼性を大幅に向上させることができる。
【００９４】
（実施の形態２）
図９は、本発明の実施の形態２による無線通信システムにおける構成例を示す説明図、図１０は、図９の無線通信システムに設けられた携帯電話による通信回線経路の切り替え処理の一例を示すフローチャート、図１１は、図１０のステップＳ３０２の処理における詳しい処理の一例を示したフローチャート、図１２は、図１０のステップＳ３０２の処理における詳しい処理の他の例を示したフローチャート、図１３は、図９の無線通信システムにおけるデータの通信経路を示した説明図、図１４は、図９の無線通信システムによるデータバックアップの一例を示す説明図、図１５は、図９の無線通信システムによる基地局サーバのファイルの来歴管理例を示す説明図である。
【００９５】
本実施の形態２において、無線通信システム１は、図９に示すように、携帯電話２、基地局３、無線ネットワーク制御装置４、および基地局サーバ５からなる前記実施の形態１と同様の構成に、インターネット接続装置１２とネットワークプロバイダサーバ１３とが新たに追加された構成となっている。
【００９６】
インターネット接続装置１２は、たとえば、パーソナルコンピュータ、セットトップボックスなどからなり、ネットワークプロバイダサーバ１３を介してインターネット接続を行う。
【００９７】
ネットワークプロバイダサーバ１３は、音楽データ、映像データなどの各種データやサービスなどを提供するサーバである。また、ネットワークプロバイダサーバ１３、および無線ネットワーク制御装置４は、たとえば、ＷＡＮ（Ｗｉｄｅ  Ａｒｅａ  Ｎｅｔｗｏｒｋ）などを介してインターネット回線ｎｅｔに接続されている。
【００９８】
また、携帯電話２は、前記実施の形態１と同様に、ＳＩＭカード６、ＲＦ通信部７、ならびにホスト部８から構成されている。前記実施の形態１と異なるところは、近距離用ＲＦ通信部１４と外部インタフェース８ｈが新たに設けられた点である。
【００９９】
近距離用ＲＦ通信部１４は、ＷｉＦｉ（Ｗｉｒｅｌｅｓｓ  Ｆｉｄｅｌｉｔｙ）、無線ＬＡＮ（Ｌｏｃａｌ  Ａｒｅａ  Ｎｅｔｗｏｒｋ）、ＮＦＣ（Ｎｅａｒ  Ｆｉｅｌｄ  Ｃｏｍｍｕｎｉｃａｔｉｏｎ）やワイヤレスＵＳＢなどによってインターネット接続装置１２との無線通信を行う。
【０１００】
外部インタフェース８ｈは、ホスト部８に設けられており、プロセッサ部８ａとインターネット接続装置１２とのインタフェース（イーサネット（登録商標）、ＵＳＢなど）となる。
【０１０１】
この場合、携帯電話２は、携帯電話２の無線通信以外に、有線ＬＡＮや無線ＬＡＮなどの他の通信回線経路に切り替えることができる。
【０１０２】
また、携帯電話２は、携帯電話用クレードルなどを用いることにより、有線接続または無線接続し、上記の通信を実行してもよい。このクレードルにより外部電源が供給されている状態のときに処理することもできる。
【０１０３】
図１０は、携帯電話２による通信回線経路の切り替え処理の一例を示すフローチャートである。
【０１０４】
まず、プロセッサ部８ａは、通信回線経路の切り替えを自動で行うかマニュアルで行うかを判断する（ステップＳ３０１）。この判断は、予めユーザが設定した設定データ（自動、またはマニュアル）に基づいて判定する。設定データは、たとえば、通信回線経路の切り替えを自動、またはマニュアルのいずれで行うかの選択、および通信回線経路の切り替えを自動で行う際に通信回線経路の優先順位を設定する通信回線経路優先順位データを含んでいる。
【０１０５】
通信回線経路優先順位データには、後述するように、たとえば、通信速度を優先して通信回線経路の優先順位を決定する速度優先データや、通信速度よりも通信コストを優先して通信回線経路の優先順位を決定するコスト優先データなどがある。
【０１０６】
プロセッサ部８ａが自動設定と判定すると、該プロセッサ部８ａは、たとえば、メモリ８ｂに格納されている通信回線経路優先順位データを読み出し、該通信回線経路優先順位データに設定されている優先順位に応じた通信回線経路を選択する（ステップＳ３０２）。また、プロセッサ部８ａが手動設定と判定すると、通信回線経路は、たとえば、ユーザによって設定されることになる（ステップＳ３０３）。
【０１０７】
図１１は、図１０のステップＳ３０２の処理における詳しい処理例を示したフローチャートである。この図１１では、速度優先データが設定されている際の通信回線経路の決定処理について説明している。ここでは、たとえば、有線ＬＡＮの回線速度が最も早く、続いて、ＷｉＦｉとなり、携帯電話２による無線通信が最も遅い回線速度とする。
【０１０８】
まず、プロセッサ部８ａは、回線速度の最も速い有線ＬＡＮが利用可能か否かを判断し（ステップＳ４０１）、利用可能な場合には、有線ＬＡＮによる通信を行うように回線経路を選択する（ステップＳ４０２）。
【０１０９】
ステップＳ４０１の処理において、有線ＬＡＮが利用不可の場合には、該有線ＬＡＮの次に回線速度の速いＷｉＦｉが利用可能か否かを判断し（ステップＳ４０３）、利用可能の場合には、ＷｉＦｉによる通信を行うように回線経路を選択する（ステップＳ４０４）。
【０１１０】
また、ステップＳ４０３の処理において、ＷｉＦｉが利用不可の場合には、最も回線速度の遅い携帯電話２による無線通信が利用可能か否かを判断し（ステップＳ４０５）、利用可能の場合には、携帯電話２の無線通信による通信を行うように回線経路を選択する（ステップＳ４０６）。ステップＳ４０５の処理において、携帯電話２の無線通信も利用不可の場合には、処理を終了とする。
【０１１１】
図１２は、図１０のステップＳ３０２の処理における詳しい処理例を示したフローチャートであり、この図では、コスト有線データが設定されている際の通信回線経路の決定処理について説明している。ここでは、たとえば、有線ＬＡＮ、ＷｉＦｉ、続いて携帯電話２の順に無線通信のコストが安いものとする。
【０１１２】
まず、プロセッサ部８ａは、通信コストの最も安い有線ＬＡＮが利用可能か否かを判断し（ステップＳ５０１）、利用可能な場合には、有線ＬＡＮによる通信を行うように回線経路を選択する（ステップＳ５０２）。
【０１１３】
また、ステップＳ５０１の処理において、有線ＬＡＮが利用不可の場合には、該有線ＬＡＮの次に通信コストの安いＷｉＦｉが利用可能か否かを判断し（ステップＳ５０３）、利用可能の場合には、ＷｉＦｉによる通信を行うように回線経路を選択する（ステップＳ５０４）。
【０１１４】
さらに、ステップＳ５０３の処理において、ＷｉＦｉが利用不可の場合には、最も通信コストの高い携帯電話２による無線通信が利用可能か否かを判断し（ステップＳ５０５）、利用可能の場合には、携帯電話２の無線通信による通信を行うように回線経路を選択する（ステップＳ５０６）。ステップＳ５０５の処理において、携帯電話２の無線通信も利用不可の場合には、処理を終了とする。
【０１１５】
このように、以上では通信速度や通信コストが安いことを条件に示したが、通信精度などの他の条件をもとに判断してもよい。
【０１１６】
図１３は、本実施の形態２の無線通信システム１におけるデータの通信経路を示した説明図である。
【０１１７】
図１３においては、セキュア部１１を経由したＳＩＭカード６内のデータ経路を経路７で示し、ホスト部８と基地局サーバ５とのデータ経路を経路８で示し、ＷｉＦｉや無線ＬＡＮ、ＮＦＣ、あるいはワイヤレスＵＳＢなどを経由したホスト部８と基地局サーバ５とのデータ経路を経路９で示し、有線ＬＡＮ、またはＵＳＢを経由したホスト部８と基地局サーバ５とのデータ経路を経路１０で示している。
【０１１８】
この場合、経路７においては、前記実施の形態１の経路１（図４）と同様であり、経路８は、前記実施の形態１の経路３（図４）と同様である。
【０１１９】
また、経路９では、基地局サーバ５から、インターネット回線ｎｅｔ、およびネットワークプロバイダサーバ１３を介して、インターネット接続装置１２と近距離用ＲＦ通信部１４とが無線通信を行い、ホスト部８にアクセスする経路となる。
【０１２０】
経路１０では、基地局サーバ５から、インターネット回線ｎｅｔ、およびネットワークプロバイダサーバ１３を介して、インターネット接続装置１２と外部インタフェース８ｈとが有線通信を行い、ホスト部８にアクセスする経路となる。
【０１２１】
また、本実施の形態２の無線通信システム１では、たとえば、ＩＭＳＩの番号、携帯電話番号などの登録情報や電話帳データなどの重要なデータのみを基地局サーバ５にバックアップし、音楽データ、動画データなどの各種マルチメディアコンテンツはネットワークプロバイダサーバ１３にバックアップする構成としてもよい。
【０１２２】
図１４は、メモリカード９に書き換えられた新しいデータのうち、重要なデータを基地局サーバ５にバックアップし、マルチメディアコンテンツなどのデータをネットワークプロバイダサーバ１３にバックアップする際の一例を示す説明図である。
【０１２３】
図１４において、左側から右側にかけて、メモリカード９の記憶領域、基地局サーバ５のハードディスク装置５ｂの記憶領域、およびネットワークプロバイダサーバ１３の記憶領域をそれぞれ示している。
【０１２４】
メモリカード９には、ＩＭＳＩの番号、携帯電話番号などの登録情報や電話帳データなどの重要なデータがファイルＡとして格納されており、その他のマルチメディアコンテンツなどの各種データは、ファイルＢとして格納されている。
【０１２５】
そして、メモリカード９のファイルＡと同じデータは、ハードディスク装置５ｂにファイルＡ０として格納され、ファイルＢのデータは、ネットワークプロバイダサーバ１３にファイルＢ０として格納される。
【０１２６】
また、ハードディスク装置５ｂは、ファイルＢ０のリンク先を示すリンク管理ファイルを有しており、基地局サーバ５は、リンク管理ファイルによってネットワークプロバイダサーバ１３に格納されたファイルＢ０の管理を行う。
【０１２７】
図１５は、基地局サーバ５においてｎ個（任意）までのファイルの来歴管理例を示す説明図である。この場合、前記実施の形態１の図８と同様の処理によって来歴管理が行われる。
【０１２８】
同様に、マルチメディアコンテンツなどのデータからなるファイルＢの来歴管理を行うことも可能であり、その際には、ネットワークプロバイダサーバ１３によって図８と同様の来歴管理処理を行うようにしてもよい。
【０１２９】
それにより、本実施の形態２では、携帯電話２の無線通信以外に、有線ＬＡＮや無線ＬＡＮなどの複数の通信経路に対応可能となり、データ通信速度、通信品質の向上、および能力を強化することができる。
【０１３０】
また、ネットワークプロバイダサーバ１３と接続することにより、基地局サーバ５以外の、ネットワークプロバイダサーバ１３でのデータ（たとえば、音楽データ、動画データ、サービスなど）を携帯電話２に提供することができる。
【０１３１】
さらに、有線ＬＡＮやインターネット回線ｎｅｔに対応することで、たとえば、メモリカード９と基地局サーバ５との同期処理がインターネット接続装置１２で高速処理が可能になる。
【０１３２】
（実施の形態３）
図１６は、本発明の実施の形態３によるメモリカードのアクセス制限を行う際の処理例を示すフローチャート、図１７は、本発明の実施の形態３によるメモリカードのチップレイアウトの一例を示す説明図、図１８は、図１７のコントローラの構成例を示すブロック図である。
【０１３３】
本実施の形態３では、前記実施の形態２の無線通信システム１（図９）の構成において、メモリカード９のデータを使用禁止にする技術について説明する。
【０１３４】
たとえば、携帯電話２を紛失した際などにおいて、メモリカード９のデータを使用禁止とするには、他の電話、またはパーソナルコンピュータ、インターネット端末などから基地局サーバ５にアクセスし、各ＳＩＭカード６に対応したアクセス管理ファイルを変更して、メモリカード９やセキュア部１１のアクセス禁止、あるいはアクセス制限をかける。
【０１３５】
アクセス禁止／アクセス制限は、複数の経路（携帯電話の無線通信、ＷｉＦｉや無線ＬＡＮ、ＮＦＣ、ワイヤレスＵＳＢ、有線ＬＡＮ、ＵＳＢなど）のうち、アクセス可能な経路から管理ファイルの変更を実行することで迅速なロック・アンロックを実施する。
【０１３６】
ＳＩＭカード６のアクセス管理ファイルは、基地局サーバ５において該アクセス管理ファイルと対応して管理される。アンロックの方法は、ロックと同様の方法で、アクセス許可をアクセス管理ファイルの更新によって行う。
【０１３７】
たとえば、アクセス管理ファイルのアクセス許可をアクセス禁止にした場合、アンロック不可能となる。
【０１３８】
図１６は、他の電話、またはパーソナルコンピュータ、インターネット端末などからメモリカード９のアクセス制限を行う場合の処理例を示すフローチャートである。
【０１３９】
まず、プロセッサ部８ａは、携帯電話２の通信回線がオンラインであるか、オフラインであるかを判定する（ステップＳ６０１）。通信回線がオフラインの場合には、プロセッサ部８ａは、携帯電話２の起動時などにＰＩＮ（Ｐｅｒｓｏｎａｌ  Ｉｄｅｎｔｉｔｙ  Ｎｕｍｂｅｒ：個人識別番号）コードの入力を要求し（ステップＳ６０２）、オフライン時のセキュリティ性を確認する。
【０１４０】
ＰＩＮコードの入力要求に対して、ＰＩＮコードが入力されると、プロセッサ部８ａは、入力されたＰＩＮコードが正しいか否かを判定し（ステップＳ６０３）、入力されたＰＩＮコードが正しい場合には、ＳＩＭカード６に格納されているアクセス管理ファイルに従い、ファイルアクセスを可能とする（ステップＳ６０４）。その後、任意の設定時間が経過すると（ステップＳ６０５）、プロセッサ部８ａは、再び、ステップＳ６０１の処理に戻る。
【０１４１】
また、ステップＳ６０３の処理において、入力されたＰＩＮコードが正しくない場合、プロセッサ部８ａがリトライ回数（ＰＩＮコードの入力回数）を判定し（ステップＳ６０６）、リトライ回数が規定値以下の場合には、再びステップＳ６０２の処理に戻る。
【０１４２】
ステップＳ６０５の処理で、リトライ回数が規定値を超えたと判定されると、プロセッサ部８ａは、メモリカード９のファイルアクセスを禁止する（ステップＳ６０７）。
【０１４３】
また、ステップＳ６０１の処理において、通信回線がオンラインと判定されると、プロセッサ部８ａは、基地局サーバ５とＳＩＭカード６との間でアクセス管理ファイルの比較を行い、異なる場合に最新のアクセス管理ファイルの内容に更新処理を行う（ステップＳ６０７）。
【０１４４】
続いて、プロセッサ部８ａは、アクセス管理ファイルにアクセス制限が設定されているか否かを判断し（ステップＳ６０９）、該アクセス管理ファイルにアクセス制限が設定されていない場合には、ファイルアクセスの制限を行わない（ステップＳ６１０）。
【０１４５】
その後、任意の設定時間が経過すると（ステップＳ６１１）、プロセッサ部８ａは、再び、ステップＳ６０１の処理に戻る。また、ステップＳ６０１からの処理は、ステップＳ６１１，Ｓ６０５の処理だけではなく、キャリア側から緊急の割り込み要求があった場合にも行われる。なお、緊急の割り込み要求とは、携帯電話２の紛失などによって即座にアクセス制限をかけたい場合である。
【０１４６】
また、ステップＳ６０９の処理において、アクセス管理ファイルにアクセス制限が設定されている際には、プロセッサ部８ａがメモリカード９へのファイルアクセス制限を実施する（ステップＳ６１２）。
【０１４７】
次に、メモリカード９に付与された固有のＩＤ番号を利用したデータの復元技術について説明する。
【０１４８】
メモリカード９の物理的破壊などによるデータ喪失に対して、そのデータを復元する際に、該メモリカード９に付与された固有のＩＤ番号を、データの特定、認証によるデータ復元手順のセキュリティ確保として用いることが考えられる。
【０１４９】
図１７は、メモリカード９のチップレイアウトの一例を示す説明図である。
【０１５０】
メモリカード９は、図示するように、カード配線基板１５の主面にメモリ９ａとなる半導体チップ１５ａが搭載されており、該半導体チップ１５ａの上部には、コントローラ９ｂとなる半導体チップ１６が積層された構成となっている。
【０１５１】
カード配線基板１５のチップ搭載面において、半導体チップ１５ａの対向する２辺の周辺部近傍には、複数のボンディング電極が形成されている。また、半導体チップ１５ａの対向する２辺の周辺部には、複数のチップ電極がそれぞれ設けられており、これらチップ電極と基板電極とがボンディングワイヤ１７を介してそれぞれ接続されている。
【０１５２】
また、カード配線基板１５のチップ搭載面において、半導体チップ１６の隣接する２辺の周辺部近傍にも複数のボンディング電極が形成されており、これらボンディング電極が、半導体チップ１６の隣接する２辺の周辺部に形成された複数のチップ電極とボンディングワイヤ１８を介してそれぞれ接続されている。
【０１５３】
さらに、図１７の半導体チップ１６の上部には、ＩＤ制御格納部１６ａが形成されるようにレイアウトされている。ＩＤ制御格納部１６ａには、読み出し用インタフェース端子Ｐ１（図１８）、および外部電源供給用端子Ｐ２（図１８）が設けられている。
【０１５４】
ＩＤ制御格納部１６ａは、これら読み出し用インタフェース端子Ｐ１、ならびに外部電源供給用端子Ｐ２から、各々のボンディングワイヤ１９を介してカード配線基板１５の基板電極とそれぞれ接続されており、コントローラ９ｂを介することなく、直接セキュア部１１との通信を行うことができる。
【０１５５】
ＩＤ制御格納部１６ａは、メモリカード９のＩＤ番号を格納するものであり、データを基地局サーバ５にバックアップする際、あるいはリストアする際の認証に利用される。このＩＤ番号は、小容量（たとえば、数バイト〜数十バイト程度）のデータであるので、半導体チップ１６上に占めるチップ面積は小さく、メモリカード９に曲げやねじりなどの機械的ストレスが加わった場合であっても、通信の有無に関わらず破壊の可能性を極小化することができる。
【０１５６】
図１８は、ＩＤ制御格納部１６ａが設けられたコントローラ９ｂの構成例を示すブロック図である。
【０１５７】
コントローラ９ｂは、パワーオンリセット２０、クロック発生部２１、メモリインタフェース２２、ホストインタフェース２３、ＣＰＵ２４、バッファ２５、およびＩＤ制御格納部１６ａから構成されている。
【０１５８】
パワーオンリセット２０は、コントローラ９ｂのリセット処理などの電源系の制御を司る。クロック発生部２１は、クロック信号を生成し、ＣＰＵ２４などに供給する。メモリインタフェース２２は、メモリ９ａとのインタフェースであり、ホストインタフェース２３は、ホスト部８とのインタフェースである。
【０１５９】
ＣＰＵ２４は、コントローラ９ｂのすべての制御を司る。バッファ２５は、データ転送時などにおいて転送データを一時的に格納する。ＩＤ制御格納部１６ａは、コントローラ９ｂが破壊などによって不良となった際に単独で動作し、メモリカード９のＩＤ番号などの読み出しを可能とする。
【０１６０】
ＩＤ制御格納部１６ａは、電源切り替え回路２６とＩＤ格納部２７とから構成されている。電源切り替え回路２６は、電源対応回路２８、ならびにスイッチ部２９からなる。ＩＤ格納部２７は、インタフェース３０、メモリ部３１、およびセキュア部３２とから構成されている。
【０１６１】
電源対応回路２８は、コントローラ９ｂに供給される電源電圧ＶＣＣを監視し、コントローラ９ｂの故障や破壊などによって電源電圧ＶＣＣがショートなどによって給電されなくなった場合に、スイッチ部２９に切り替え用制御信号を出力すると共に、電源電圧ＶＣＣの配線ラインを分離する。
【０１６２】
ＩＤ格納部２７には、外部電源供給用端子Ｐ２が接続されており、電源対応回路２８が電源電圧ＶＣＣの配線ラインを分離した際に、外部電源供給用端子Ｐ２を介して電源電圧ＶＣＣ２が外部供給され、ＩＤ格納部２７を単独で動作可能な状態にすることができる。
【０１６３】
スイッチ部２９は、一方の接続部がＣＰＵ２４と接続され、他方の接続部がインタフェース３０と接続されている。このスイッチ部２９は、電源対応回路２８から出力された切り替え用制御信号を受けて、ＣＰＵ２４とインタフェース３０とを非接続状態とする。
【０１６４】
インタフェース３０は、ＣＰＵ２４とのインタフェースである。このインタフェース３０は、ＩＤ番号を外部から読み出す際に用いられる読み出し用インタフェース端子Ｐ１に接続されている。
【０１６５】
読み出し用インタフェース端子Ｐ１を介した読み出しは、たとえば、１ビットシリアル通信などがある。これによって、外部端子数を削減することができ、接続不具合などを低減することができる。あるいは、非接触通信などを用いるようにしてもよい。
【０１６６】
また、メモリ部３１は、メモリカード９におけるＩＤ番号が格納されている。セキュア部３２は、インタフェース３０を介してＩＤ番号が読み出される際の認証や暗号化を行うセキュアセクションである。
【０１６７】
このように、コントローラ９ｂに独立して動作するＩＤ制御格納部１６ａを設けることにより、該コントローラ９ｂが不良となってもデータ復元のためのメモリカード９のＩＤ番号を読み出しすることのできる可能性を向上することができる。
【０１６８】
それにより、本実施の形態３においては、他の電話、またはパーソナルコンピュータ、インターネット端末などからメモリカード９のアクセス制限を行う即座に行うことが可能となるので、メモリカード９のデータ保護をより確実に行うことができる。
【０１６９】
また、メモリカード９におけるＩＤ番号をより高い確率で読み出すことができるので、より効率的にデータの復元などのリストア作業などを行うことができる。
【０１７０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１７１】
たとえば、前記実施の形態１〜３の少なくとも２つを組み合わせる、あるいは各々の実施の形態の部分的な組み合わせて、本発明の無線通信システムを構成するようにしてもよい。
【産業上の利用可能性】
【０１７２】
本発明は、ＳＩＭカードなどのセキュアメモリカードにおける物理的な破壊による保存データの損失を防止する技術に適している。
【図面の簡単な説明】
【０１７３】
【図１】本発明の実施の形態１による無線通信システムの構成例を示す説明図である。
【図２】図１の無線通信システムにおけるＳＩＭカードに設けられたメモリカード、およびＳＩＭカードアダプタの構成例を示すブロック図である。
【図３】図１の無線通信システムにおけるデータバックアップ処理の一例を示すフローチャートである。
【図４】図３のデータバックアップ処理における無線通信システムのデータの通信経路を示した説明図である。
【図５】図１の無線通信システムにおけるデータのリストア処理を示すフローチャートである。
【図６】図５のリストア処理における無線通信システムのデータの通信経路を示した説明図である。
【図７】図１の無線通信システムにおけるメモリカードに書き換えられた新しいデータを基地局サーバに保存する際の一例を示す説明図である。
【図８】図１の無線通信システムにおける基地局サーバのファイル来歴管理例を示す説明図である。
【図９】本発明の実施の形態２による無線通信システムにおける構成例を示す説明図である。
【図１０】図９の無線通信システムに設けられた携帯電話による通信回線経路の切り替え処理の一例を示すフローチャートである。
【図１１】図１０のステップＳ３０２の処理における詳しい処理の一例を示したフローチャートである。
【図１２】図１０のステップＳ３０２の処理における詳しい処理の他の例を示したフローチャートである。
【図１３】図９の無線通信システムにおけるデータの通信経路を示した説明図である。
【図１４】図９の無線通信システムによるデータバックアップの一例を示す説明図である。
【図１５】図９の無線通信システムによる基地局サーバのファイルの来歴管理例を示す説明図である。
【図１６】本発明の実施の形態３によるメモリカードのアクセス制限を行う際の処理例を示すフローチャートである。
【図１７】本発明の実施の形態３によるメモリカードのチップレイアウトの一例を示す説明図である。
【図１８】図１７のコントローラの構成例を示すブロック図である。
【符号の説明】
【０１７４】
１  無線通信システム
２  携帯電話
３  基地局
４  無線ネットワーク制御装置
５  基地局サーバ
５ａ  サーバ制御装置
５ｂ  ハードディスク装置
６  ＳＩＭカード
７  ＲＦ通信部
８  ホスト部
８ａ  プロセッサ部
８ｂ  メモリ
８ｃ  入力部
８ｄ  出力部
８ｅ  ディスプレイ部
８ｆ  電源回路部
８ｇ  カードインタフェース
８ｈ  外部インタフェース
９  メモリカード
９ａ  メモリ
９ｂ  コントローラ
１０  ＳＩＭカードアダプタ
１１  セキュア部
１２  インターネット接続装置
１３  ネットワークプロバイダサーバ
１４  近距離用ＲＦ通信部
１５  カード配線基板
１５ａ  半導体チップ
１６  半導体チップ
１６ａ  ＩＤ制御格納部
１７  ボンディングワイヤ
１８  ボンディングワイヤ
１９  ボンディングワイヤ
２０  パワーオンリセット
２１  クロック発生部
２２  メモリインタフェース
２３  ホストインタフェース
２４  ＣＰＵ
２５  バッファ
２６  電源切り替え回路
２７  ＩＤ格納部
２８  電源対応回路
２９  スイッチ部
３０  インタフェース
３１  メモリ部
３２  セキュア部
Ｃ１〜Ｃ８  ＳＩＭカード用外部端子
ｎｅｔ  インターネット回線
Ｐ１  読み出し用インタフェース端子
Ｐ２  外部電源供給用端子
【図１】
2008301329.tif 000003
【図２】
2008301329.tif 000004
【図３】
2008301329.tif 000005
【図４】
2008301329.tif 000006
【図５】
2008301329.tif 000007
【図６】
2008301329.tif 000008
【図７】
2008301329.tif 000009
【図８】
2008301329.tif 000010
【図９】
2008301329.tif 000011
【図１０】
2008301329.tif 000012
【図１１】
2008301329.tif 000013
【図１２】
2008301329.tif 000014
【図１３】
2008301329.tif 000015
【図１４】
2008301329.tif 000016
【図１５】
2008301329.tif 000017
【図１６】
2008301329.tif 000018
【図１７】
2008301329.tif 000019
【図１８】
2008301329.tif 000020